(57)【特許請求の範囲】
【請求項１】
送信先を識別する識別子および画像データを取得する取得手段と、
前記画像データを、前記識別子で識別された送信先に送信する第１送信手段と、
前記第１送信手段が前記画像データの送信をしているときに、前記送信の停止をさせるための停止指示を受け付ける受付手段と、
前記画像データの転送要求が自装置から受け付けられた場合において、前記受付手段により前記停止指示が受け付けられたときは、前記送信の停止をさせる停止処理を行い、前記画像データの転送要求が外部装置から受け付けられた場合は、前記停止処理が行われることまたは前記停止指示が受け付けられることを防止する停止防止処理を行う処理手段と
を有する画像送信装置。
【請求項２】
前記取得手段は、前記停止防止処理を行うか否かを示す停止可否情報を取得し、
前記処理手段は、前記画像データの転送要求が外部装置から受け付けられた場合、前記停止可否情報に応じて、前記停止防止処理を行う
ことを特徴とする請求項１に記載の画像送信装置。
【請求項３】
前記受付手段は、前記送信が行われているときに前記停止指示を受け付けるための画像を表示し、
前記処理手段は、前記停止防止処理として、前記送信が行われているときに前記画像の表示をさせない処理を行う
ことを特徴とする請求項１または２に記載の画像送信装置。
【請求項４】
前記受付手段は、前記送信が行われているときに前記送信が行われていることを示す画像を、前記停止指示を受け付けるための画像を含んだ状態で表示し、
前記処理手段は、前記停止防止処理として、前記送信が行われているときに前記送信が行われていることを示す画像の表示をさせない処理を行う
ことを特徴とする請求項１または２に記載の画像送信装置。
【請求項５】
前記第１送信手段は、前記画像データの転送要求が外部装置から受け付けられた場合において、前記受付手段により前記停止指示が受け付けられたときは、前記停止処理の可否を確認する停止確認要求を前記外部装置に送信し、
前記取得手段は、前記停止確認要求に対する応答であって、前記停止防止処理を行うか否かを示す停止可否情報を前記外部装置から取得し、
前記処理手段は、前記取得手段によって取得された停止可否情報に応じて前記停止防止処理を行う
ことを特徴とする請求項１に記載の画像送信装置。
【請求項６】
前記記憶手段は、ユーザの認証に用いられる第１認証情報を記憶し、
前記取得手段は、前記画像送信装置を操作するユーザの第２認証情報を取得し、
前記処理手段は、前記画像データの転送要求が外部装置から受け付けられた場合、前記第１認証情報および前記第２認証情報に応じて、前記停止防止処理を行う
ことを特徴とする請求項１に記載の画像送信装置。
【請求項７】
前記受付手段は、ユーザの操作に応じて前記停止指示を示す信号を出力する操作子を有し、
前記処理手段は、前記停止防止処理として、前記操作子から前記信号が出力されても前記停止処理を行わない
ことを特徴とする請求項１、２、５または６のいずれか一項に記載の画像送信装置。
【請求項８】
前記取得手段による画像データの取得が継続された状態で前記第１送信手段が画像データを送信している場合、前記処理手段は、前記停止防止処理を行う
ことを特徴とする請求項１ないし７のいずれか一項に記載の画像送信装置。
【請求項９】
前記停止防止処理が有効または無効であることを示す設定情報を記憶する記憶手段を有し、
前記処理手段は、前記画像データの転送要求が外部装置から受け付けられた場合、前記記憶手段に記憶されている設定情報に応じて、前記停止防止処理を行う
ことを特徴とする請求項１ないし８のいずれか一項に記載の画像送信装置。
【請求項１０】
前記画像データの転送要求が外部装置から受け付けられたか否かを示すフラグを記憶する記憶手段を有し、
前記処理手段は、前記記憶手段に記憶されたフラグに基いて前記画像データの転送要求が外部装置から受け付けられたか否かを判断する
ことを特徴とする請求項１に記載の画像送信装置。
【請求項１１】
原稿を読み取って画像データを生成する画像データ生成手段を有し、
前記処理手段は、前記画像データ生成手段により生成された画像データが前記取得手段により取得された場合、前記停止処理を行う
ことを特徴とする請求項１ないし１０のいずれか一項に記載の画像送信装置。
【請求項１２】
請求項１ないし１１のいずれか一項に記載の画像送信装置と、
前記識別子および前記画像データを前記画像送信装置に送信する第２送信手段を備える情報端末と、
前記画像送信装置により送信された画像データを受信する受信手段を備える画像受信装置と
を有する画像送信システム。
【請求項１３】
制御手段、通信手段、および受付手段を有するコンピュータに、
送信先を識別する識別子および画像データを前記制御手段が取得するステップと、
前記画像データを、前記識別子で識別された送信先に前記通信手段が送信するステップと、
前記画像データの送信をしているときに、前記送信の停止をさせるための停止指示を前記受付手段が受け付けるステップと、
前記画像データの転送要求が自装置から受け付けられた場合において、前記停止指示が受け付けられたときは、前記送信の停止をさせる停止処理を前記制御手段が行い、前記画像データの転送要求が外部装置から受け付けられた場合は、前記停止処理を防止する停止防止処理を前記制御手段が行うステップと
を実行させるためのプログラム。
【発明の詳細な説明】
【技術分野】
【０００１】
本発明は、画像送信装置、画像送信システムおよびプログラムに関する。
【背景技術】
【０００２】
ファクシミリ送信機能を有さない装置がファクシミリ送信機と通信をすることによりファクシミリ送信を行う技術が知られている。特許文献１には、ファクシミリ機能を有さない装置がネットワーク上のファクシミリ装置を検出し、ファクシミリ送信を行う技術が記載されている。特許文献２には、ＦＡＸサーバが、画像処理装置または情報処理装置から取得した画像データを送信する技術が記載されている。特許文献３には、ファクシミリ通信機能を有さない第２の通信装置が、ファクシミリ通信機能を有する第１の通信装置に送信画情報を送信することにより、ファクシミリ送信を行う技術が記載されている。特許文献４には、画像読取装置の操作によりファクシミリ送信装置を遠隔制御して送信を行う技術が記載されている。
【先行技術文献】
【特許文献】
【０００３】
【特許文献１】特開２００３−１７９７１８号公報
【特許文献２】特開２００３−２８３７４２号公報
【特許文献３】特開２００３−３３３２６９号公報
【特許文献４】特開２００４−１０４１６９号公報
【発明の概要】
【発明が解決しようとする課題】
【０００４】
本発明は、画像送信装置が、外部装置から取得した画像データを送信している場合、外部装置のユーザが意図しない送信の停止を防止できるようにすることを目的とする。
【課題を解決するための手段】
【０００５】
本発明の請求項１に係る画像送信装置は、送信先を識別する識別子および画像データを取得する取得手段と、前記画像データを、前記識別子で識別された送信先に送信する第１送信手段と、前記第１送信手段が前記画像データの送信をしているときに、前記送信の停止をさせるための停止指示を受け付ける受付手段と、前記画像データの転送要求が自装置から受け付けられた場合において、前記受付手段により前記停止指示が受け付けられたときは、前記送信の停止をさせる停止処理を行い、前記画像データの転送要求が外部装置から受け付けられた場合は、前記停止処理が行われることまたは前記停止指示が受け付けられることを防止する停止防止処理を行う処理手段とを備える。
【０００６】
本発明の請求項２に係る画像送信装置は、請求項１に記載の構成において、前記取得手段は、前記停止防止処理を行うか否かを示す停止可否情報を取得し、前記処理手段は、前記画像データの転送要求が外部装置から受け付けられた場合、前記停止可否情報に応じて、前記停止防止処理を行うことを特徴とする。
【０００７】
本発明の請求項３に係る画像送信装置は、請求項１または２に記載の構成において、前記受付手段は、前記送信が行われているときに前記停止指示を受け付けるための画像を表示し、前記処理手段は、前記停止防止処理として、前記送信が行われているときに前記画像の表示をさせない処理を行うことを特徴とする。
【０００８】
本発明の請求項４に係る画像送信装置は、請求項１または２に記載の構成において、前記受付手段は、前記送信が行われているときに前記送信が行われていることを示す画像を、前記停止指示を受け付けるための画像を含んだ状態で表示し、前記処理手段は、前記停止防止処理として、前記送信が行われているときに前記送信が行われていることを示す画像の表示をさせない処理を行うことを特徴とする。
【０００９】
本発明の請求項５に係る画像送信装置は、請求項１に記載の構成において、前記第１送信手段は、前記画像データの転送要求が外部装置から受け付けられた場合において、前記受付手段により前記停止指示が受け付けられたときは、前記停止処理の可否を確認する停止確認要求を前記外部装置に送信し、前記取得手段は、前記停止確認要求に対する応答であって、前記停止防止処理を行うか否かを示す停止可否情報を前記外部装置から取得し、前記処理手段は、前記取得手段によって取得された停止可否情報に応じて前記停止防止処理を行うことを特徴とする。
【００１０】
本発明の請求項６に係る画像送信装置は、請求項１に記載の構成において、前記記憶手段は、ユーザの認証に用いられる第１認証情報を記憶し、前記取得手段は、前記画像送信装置を操作するユーザの第２認証情報を取得し、前記処理手段は、前記画像データの転送要求が外部装置から受け付けられた場合、前記第１認証情報および前記第２認証情報に応じて、前記停止防止処理を行うことを特徴とする。
【００１１】
本発明の請求項７に係る画像送信装置は、請求項１、２、５または６のいずれか一項に記載の構成において、前記受付手段は、ユーザの操作に応じて前記停止指示を示す信号を出力する操作子を有し、前記処理手段は、前記停止防止処理として、前記操作子から前記信号が出力されても前記停止処理を行わないことを特徴とする。
【００１２】
本発明の請求項８に係る画像送信装置は、請求項１ないし７のいずれか一項に記載の構成において、前記取得手段による画像データの取得が継続された状態で前記第１送信手段が画像データを送信している場合、前記処理手段は、前記停止防止処理を行うことを特徴とする。
【００１３】
本発明の請求項９に係る画像送信装置は、請求項１ないし８のいずれか一項に記載の構成において、前記停止防止処理が有効または無効であることを示す設定情報を記憶する記憶手段を有し、前記処理手段は、前記画像データの転送要求が外部装置から受け付けられた場合、前記記憶手段に記憶されている設定情報に応じて、前記停止防止処理を行うことを特徴とする。
【００１４】
本発明の請求項１０に係る画像送信装置は、請求項１に記載の構成において、前記画像データの転送要求が外部装置から受け付けられたか否かを示すフラグを記憶する記憶手段を有し、前記処理手段は、前記記憶手段に記憶されたフラグに基いて前記画像データの転送要求が外部装置から受け付けられたか否かを判断することを特徴とする。
【００１５】
本発明の請求項１１に係る画像送信装置は、請求項１ないし１０のいずれか一項に記載の構成において、原稿を読み取って画像データを生成する画像データ生成手段を有し、前記処理手段は、前記画像データ生成手段により生成された画像データが前記取得手段により取得された場合、前記停止処理を行うことを特徴とする。
【００１６】
本発明の請求項１２に係る画像送信システムは、請求項１ないし１１のいずれか一項に記載の画像送信装置と、前記識別子および前記画像データを前記画像送信装置に送信する第２送信手段を備える情報端末と、前記画像送信装置により送信された画像データを受信する受信手段を備える画像受信装置とを有する。
【００１７】
本発明の請求項１３に係るプログラムは、制御手段、通信手段、および受付手段を有するコンピュータに、送信先を識別する識別子および画像データを前記制御手段が取得するステップと、前記画像データを、前記識別子で識別された送信先に前記通信手段が送信するステップと、前記画像データの送信をしているときに、前記送信の停止をさせるための停止指示を前記受付手段が受け付けるステップと、前記画像データの転送要求が自装置から受け付けられた場合において、前記停止指示が受け付けられたときは、前記送信の停止をさせる停止処理を前記制御手段が行い、前記画像データの転送要求が外部装置から受け付けられた場合は、前記停止処理を防止する停止防止処理を前記制御手段が行うステップとを実行させる。
【発明の効果】
【００１８】
請求項１、１２および１３に係る発明によれば、画像送信装置が、外部装置から取得した画像データを送信している場合、外部装置のユーザが意図しない送信の停止を防止することができる。
請求項２に係る発明によれば、画像送信装置が、外部装置から取得した画像データを送信している場合、外部装置のユーザの指示に応じて、送信の停止を防止することができる。
請求項３に係る発明によれば、停止指示を受け付けるための画像を表示する画像送信装置が、外部装置から取得した画像データを送信している場合、外部装置のユーザが意図しない送信の停止を防止することができる。
請求項４に係る発明によれば、送信が行われていることを示す画像を表示する画像送信装置が、外部装置から取得した画像データを送信する場合、外部装置のユーザが意図しない送信の停止を防止することができる。
請求項５に係る発明によれば、画像送信装置が、外部装置から取得した画像データを送信している場合、送信の停止の指示を受け付けたことを外部装置のユーザに知らせることができる。
請求項６に係る発明によれば、画像送信装置が、外部装置から取得した画像データを送信している場合、外部装置のユーザ以外の者による送信の停止を防止することができる。
請求項７に係る発明によれば、画像送信装置が、外部装置から取得した画像データを送信している場合、画像送信装置において送信の停止の指示がされても、送信を継続することができる。
請求項８に係る発明によれば、送信の停止後に再度送信の指示が行われると、画像データの再取得が必要となる場合、画像送信装置において送信の停止の指示がされても、送信を継続することができる。
請求項９に係る発明によれば、画像送信装置が、外部装置から取得した画像データを送信している場合、送信の停止を防止できる外部装置を設定することができる。
請求項１０に係る発明によれば、画像送信装置が、フラグに応じて、ユーザが意図しない送信の停止を防止することができる。
請求項１１に係る発明によれば、画像送信装置において画像データの生成が行われている場合、画像送信装置が送信の停止をすることができる。
【図面の簡単な説明】
【００１９】
【図１】画像送信システムの全体構成を示す図
【図２】画像送信システム１の機能的構成を示すブロック図
【図３】画像形成装置１０のハードウェア構成を示すブロック図
【図４】端末装置２０のハードウェア構成を示すブロック図
【図５】第１実施形態に係る処理を示すフローチャート
【図６】表示部１０４に表示される画面を例示する図
【図７】第２実施形態に係る処理を示すフローチャート
【図８】可否情報を示すデータの一例を示す図
【図９】第３実施形態に係る処理を示すフローチャート
【図１０】停止確認画面の例を示す図
【図１１】第４実施形態に係る処理を示すフローチャート
【図１２】送信先番号および認証情報を示すデータの一例を示す図
【図１３】停止防止処理の設定情報の例を示す図
【発明を実施するための形態】
【００２０】
図１は、本発明の一実施形態に係る画像送信システム１の全体構成を示す図である。画像送信システム１は、画像形成装置１０、端末装置２０および画像形成装置３０を有する。端末装置２０は、パーソナルコンピュータなどの情報端末である。画像形成装置１０および３０は、複写機、プリンタ、スキャナおよびファクシミリなどとして機能する装置である。端末装置２０は、内部通信回線４０を介して画像形成装置１０と接続されている。内部通信回線４０は、有線または無線のＬＡＮ（Local Area Network）である。画像形成装置１０は、電話回線等の外部通信回線５０を介して画像形成装置３０と接続されている。以上の構成において、画像形成装置１０は、自らのスキャナで読み込まれた画像データまたは端末装置２０から送信された画像データを画像形成装置３０へファクシミリ送信する。
【００２１】
図２は、画像送信システム１の機能的構成を示すブロック図である。画像形成装置１０は、取得部１１、記憶部１２、送信部１３、受付部１４、処理部１５、および画像データ生成部１６を有する。取得部１１（取得手段の一例）は、送信先番号（送信先を識別する識別子）および画像データを取得する。記憶部１２（記憶手段の一例）は、取得部１１により取得された画像データが外部装置から取得されたか否かを示すフラグを記憶する。送信部１３（送信手段の一例）は、送信先番号で識別された送信先に画像データを送信する。受付部１４（受付手段の一例）は、送信部１３が画像データの送信をしているときに、送信の停止をさせるための停止指示を受け付ける。処理部１５（処理手段の一例）は、送信部１３により送信されている画像データが端末装置２０から取得されたものでないことをフラグが示している場合において、受付部１４により停止指示が受け付けられたときは、送信の停止をさせる停止処理を行う。処理部１５は、また、送信部１３により送信されている画像データが端末装置２０から取得されたものであることをフラグが示している場合は、停止処理を防止する停止防止処理を行う。画像データ生成部１６（画像データ生成手段の一例）は、原稿を読み取って画像データを生成する。
【００２２】
端末装置２０は、送信部２１を有する。送信部２１（送信手段の一例）は、送信先番号および画像データを画像形成装置１０に送信する。画像形成装置３０は、受信部３１を有する。受信部３１（受信手段の一例）は、画像形成装置１０により送信された画像データを受信する。
【００２３】
図３は、画像形成装置１０のハードウェア構成を示すブロック図である。画像形成装置１０は、制御部１０１、通信部１０２、記憶部１０３、表示部１０４、入力部１０５、読み取り部１０６および画像形成部１０７とを備えたコンピュータである。制御部１０１（制御手段の一例）は、画像形成装置１０の各部の動作を制御する。制御部１０１は、ＣＰＵ（Central Processing Unit）と、ＲＯＭ（Read Only Memory）と、ＲＡＭ（Random Access Memory）とを有する。通信部１０２（通信手段の一例）は、内部通信回線４０および外部通信回線５０を介して通信を行う。記憶部１０３は、データおよびプログラムを記憶する記憶装置、例えばＨＤＤ（Hard Disk Drive）である。記憶部１０３は、制御部１０１により用いられるデータおよびプログラムを記憶する。表示部１０４は、液晶ディスプレイまたは有機ＥＬ（Electroluminescence）ディスプレイなどの表示装置を有し、画像形成装置１０を操作するためのメニュー画面または各種メッセージを表示する。入力部１０５（受付手段の一例）は、画像形成装置１０にデータまたは指示を入力するための各種キーおよび表示部１０４のディスプレイに重ねて設けられたタッチスクリーン（タッチパネル）を備える。ユーザが入力部１０５を操作することにより、画像形成装置１０に対する各種指示や各種設定が行われる。読み取り部１０６は、原稿を光学的に読み取り、読み取った原稿を画像データとして出力するイメージスキャナである。画像形成部１０７は、電子写真方式またはインクジェット方式により画像を形成する。画像形成装置３０は、画像形成装置１０と同様のハードウェア構成を有する。
【００２４】
画像形成装置１０において、プログラムを実行している制御部１０１は、取得部１１および処理部１５の一例である。プログラムを実行している制御部１０１により制御されている通信部１０２は、送信部１３の一例である。プログラムを実行している制御部１０１により制御されている表示部１０４および入力部１０５は、受付部１４の一例である。プログラムを実行している制御部１０１により制御されている読み取り部１０６は、画像データ生成部１６の一例である。また、画像形成装置３０において、プログラムを実行している制御部１０１により制御されている通信部１０２は、受信部３１の一例である。
【００２５】
図４は、端末装置２０のハードウェア構成を示すブロック図である。端末装置２０は、制御部２０１、通信部２０２、記憶部２０３、表示部２０４、および入力部２０５を備えたコンピュータである。制御部２０１は、端末装置２０の各部の動作を制御する。制御部２０１は、ＣＰＵとＲＯＭとＲＡＭとを有する。通信部２０２は、内部通信回線４０を介して通信を行う。記憶部２０３は、データおよびプログラムを記憶する記憶装置、例えばＨＤＤである。記憶部２０３は、制御部２０１により用いられるデータおよびプログラムを記憶する。表示部２０４は、液晶ディスプレイまたは有機ＥＬディスプレイなどの表示装置を有する。入力部２０５は、ユーザによる入力を受け付ける装置であり、キーパッド（キーボード）や各種のボタンを備える。プログラムを実行している制御部２０１により制御されている通信部２０２は、送信部２１の一例である。
【００２６】
（実施形態１）
図５は、画像形成装置１０において実行される、本発明の第１実施形態に係る処理を示すフローチャートである。画像送信システム１において、画像形成装置１０から画像形成装置３０にファクシミリ送信をするには、主に２つの方法がある。１つは、ユーザが直接、画像形成装置１０を操作する方法である。この場合、ユーザは、読み取り部１０６の読み取り位置に原稿を置く。さらに、ユーザは、入力部１０５を操作し、ファクシミリ送信の指示を入力する。この指示は、送信先を識別する情報、例えば画像形成装置３０のファクシミリ番号を含む。この指示が入力されると、読み取り部１０６は原稿を読み取り、通信部１０２は原稿の画像データを画像形成装置３０に送信する。もう１つは、ファクシミリ送信の指示を端末装置２０から画像形成装置１０に送信する方法である。この場合、ユーザは、入力部２０５を操作し、原稿（文書）を画像形成装置１０からファクシミリ送信させる指示を入力する。端末装置２０は、この指示に応じて、ファクシミリ送信を行うように画像形成装置１０を制御する。画像形成装置１０は、端末装置２０から送信される指示およびデータに応じて、原稿の画像データを画像形成装置３０に送信する。
【００２７】
画像送信システム１においては、以下のような状況を考える。あるユーザＡは、ファクシミリ送信を行う指示を端末装置２０から入力した。画像形成装置１０は、この指示に応じて画像形成装置３０に画像データを送信している途中である。別のユーザＢは、直接、画像形成装置１０を操作して、自分の原稿をファクシミリ送信しようとしている。この状況で、仮に、ユーザＢが画像形成装置１０を操作して、いま実行中のファクシミリ送信（ユーザＡの原稿のファクシミリ送信）の停止を誤って指示してしまい、かつ、画像形成装置１０がその指示に応じてファクシミリ送信を停止してしまった場合を考える。この場合、ユーザＡの立場からは、自分が指示したファクシミリ送信が自分の意図とは無関係に停止されることになる。画像送信システム１は、ファクシミリ送信が自分の意図とは無関係に停止されることを抑制するシステムである。図５のフローは、ファクシミリ送信の指示を制御部１０１が受け付けたことを契機として開始される。ファクシミリ送信の指示は、画像形成装置１０から直接、または、端末装置２０から入力される。
【００２８】
ステップＳ１０１において、制御部１０１は、転送要求を取得する。画像形成装置１０から直接ファクシミリ送信が行われる場合、制御部１０１は、入力部１０５から転送要求を取得する。一方、端末装置２０からファクシミリ送信の指示が行われる場合、制御部１０１は、通信部１０２から転送要求を受信する。転送要求には、ファクシミリ送信の指示であることを示す情報および送信先番号が含まれている。ステップＳ１０２において、制御部１０１は、転送要求が外部装置から取得されたものであるか否かを判断する。外部装置とは、画像形成装置１０以外の装置をいう。制御部１０１は、転送要求を通信部１０２から受信しているときは、転送要求が外部装置から取得されたものであると判断する。制御部１０１は、転送要求を入力部１０５から取得しているときは、転送要求が外部装置から取得されたものでない（自装置から取得されたものである）と判断する。転送要求が外部装置から取得されたものであると判断された場合（ステップＳ１０２：ＹＥＳ）、制御部１０１は、処理をステップＳ１０３に移行する。転送要求が外部装置から取得されたものでないと判断された場合（ステップＳ１０２：ＮＯ）、制御部１０１は、処理をステップＳ１０４に移行する。
【００２９】
ステップＳ１０３において、制御部１０１は、外部装置フラグを書き換える。外部装置フラグは、ステップＳ１０２における判断結果を示すデータであり、制御部１０１内のＲＡＭに記憶されている。外部装置フラグの初期値は「０」である。ステップＳ１０３において、制御部１０１は、外部装置フラグの値を「１」に書き換える。外部装置フラグにおいて、「１」は端末装置２０から転送要求が取得されたことを、「０」は画像形成装置１０自身により転送要求が取得されたことを示している。画像データの取得またはファクシミリ送信が行われている間、外部装置フラグの情報は保持される。
【００３０】
ステップＳ１０４において、制御部１０１は、画像データの取得を開始する。画像形成装置１０から直接ファクシミリ送信が行われる場合、制御部１０１は、読み取り部１０６から画像データを取得する。一方、端末装置２０からファクシミリ送信の指示が行われる場合、制御部１０１は、通信部１０２から画像データを受信する。ステップＳ１０５において、通信部１０２は、取得した転送要求に含まれる送信先番号に対して発呼を行い、画像形成装置３０と接続する。画像形成装置３０との接続が確立された状態で、画像形成装置１０は、画像データのファクシミリ送信を行う。なお、発呼は、画像データの取得が開始される前に行われてもよい。ステップＳ１０６において、制御部１０１は、外部装置フラグの値が「１」か否かを判断する。外部装置フラグの値が「１」でないと判断された場合（ステップＳ１０６：ＮＯ）、制御部１０１は、処理をステップＳ１０７に移行する。外部装置フラグの値が「１」であると判断された場合（ステップＳ１０６：ＹＥＳ）、制御部１０１は、処理をステップＳ１１３に移行する。
【００３１】
ステップＳ１０７において、表示部１０４は、ファクシミリ送信中であることを示す画面（以下、「ＦＡＸ送信中画面」という。）を表示する。
【００３２】
図６は、表示部１０４に表示される画面を例示する図である。この例で、画像形成装置１０はタッチパネル（タッチスクリーン）を有する。このタッチパネルにおいて、表示部１０４が表示装置として、入力部１０５が位置入力装置として、それぞれ機能する。図６（ａ）はＦＡＸ送信中画面の一例である。ＦＡＸ送信中画面とは、ファクシミリ送信が行われていることを示す文字列または画像を含む画面をいう。この例で、ＦＡＸ送信中画面は、送信先番号などの情報に加えて、ファクシミリ送信の停止をするための停止ボタンを含む。以下、タッチパネルにおいて、停止ボタンに相当する位置がタッチされることを「停止ボタンが押下される」という。
【００３３】
再び図５を参照する。ステップＳ１０８において、制御部１０１は、停止ボタンが押下されたか否かを判断する。停止ボタンが押下された場合（ステップＳ１０８：ＹＥＳ）、ステップＳ１０９において、制御部１０１はファクシミリ送信の停止処理を行う。ファクシミリ送信の停止処理とは、送信対象となっている画像データのすべてを送信完了したかどうかにかかわらず、停止指示に応じてファクシミリ送信の処理を終了することをいう。停止ボタンが押下されなかった場合（ステップＳ１０８：ＮＯ）、ステップＳ１１０において、制御部１０１はファクシミリ送信を続行する。ファクシミリ送信が行われている間、停止ボタンは表示され続ける。したがって、この間いつでも、ユーザは停止ボタンを押下することができる。
【００３４】
ステップＳ１１１において、制御部１０１は、画像データの取得が終了したか否かを判断する。読み取り部１０６から画像データを取得している場合において、読み取るべき次の原稿が読み取り部１０６にないときは、制御部１０１は、画像データの取得が終了したと判断する。画像データの取得が終了した場合（ステップＳ１１１：ＹＥＳ）、制御部１０１は、ファクシミリ送信を終了する。画像データの取得が終了していない場合（ステップＳ１１１：ＮＯ）、ステップＳ１１２において、制御部１０１は画像データの取得を継続する。
【００３５】
ステップＳ１１３において、制御部１０１は、停止防止処理を行う。停止防止処理とは、ファクシミリ送信の停止処理が行われることまたは停止指示の入力自体を防止する処理をいう。この例では、図６（ａ）のＦＡＸ送信中画面を表示するが、停止ボタンが押下されてもファクシミリ送信が停止されない処理（図６（ｂ））が停止防止処理として行われる。
【００３６】
ステップＳ１１４において、制御部１０１は、ファクシミリ送信を続行する。ステップＳ１１５において、制御部１０１は、画像データの取得が終了したか否かを判断する。通信部１０２から画像データを受信している場合において、画像データの送信が終了したことを示す情報を端末装置２０から受信したときは、制御部１０１は、画像データの取得が終了したと判断する。画像データの取得が終了した場合（ステップＳ１１５：ＹＥＳ）、制御部１０１は、ファクシミリ送信を終了する。画像データの取得が終了していない場合（ステップＳ１１５：ＮＯ）、ステップＳ１１６において、制御部１０１は画像データの取得を継続する。
【００３７】
以上の処理により、端末装置２０からファクシミリ送信の指示がされた場合は、停止防止処理が行われる。すなわち、端末装置２０からファクシミリ送信をしている場合は、ユーザが画像形成装置１０を操作してもファクシミリ送信は停止されない。なお、停止防止処理が行われる場合であっても、端末装置２０のユーザは、入力部２０５を操作してファクシミリ送信を停止することができる。
【００３８】
（実施形態２）
図７は、画像形成装置１０において実行される、本発明の第２実施形態に係る処理を示すフローチャートである。第２実施形態では、画像形成装置１０が端末装置２０から取得した停止可否情報に基づいて停止防止処理の制御が行われる点が第１実施形態と異なる。停止可否情報とは、端末装置２０から取得した画像データを画像形成装置１０がファクシミリ送信している場合において画像形成装置１０からファクシミリ送信の停止指示が入力されたときに、その停止指示を有効なものとして処理するか否かを示す情報、換言すると、停止防止処理を行うか否かを示す情報をいう。停止可否情報が「可」の場合、停止指示は有効なものとして処理される（すなわち停止防止処理は行われない）。停止可否情報が「不可」の場合、停止防止処理が行われる。端末装置２０を操作してファクシミリ送信を行う場合、ユーザは、停止可否情報を入力部２０５から入力する。
【００３９】
ステップＳ２０１において、制御部１０１は、転送要求を取得する。ステップＳ２０２において、制御部１０１は、転送要求が外部装置から取得されたものであるか否かを判断する。転送要求が外部装置から取得されたものであると判断された場合（ステップＳ２０２：ＹＥＳ）、制御部１０１は、処理をステップＳ２０３に移行する。転送要求が外部装置から取得されたものでないと判断された場合（ステップＳ２０２：ＮＯ）、制御部１０１は、処理をステップＳ２０５に移行する。
【００４０】
ステップＳ２０３において、制御部１０１は、外部装置フラグの値を「０」から「１」に書き換える。ステップＳ２０４において、制御部１０１は、停止可否情報を取得する。制御部１０１は、端末装置２０において入力された停止可否情報を通信部１０２から受信する。制御部１０１は、ＲＡＭに記憶されている可否情報データに、ステップＳ２０４で取得した停止可否情報を追加する。可否情報データとは、複数の停止可否情報を含むデータをいう。
【００４１】
図８は、可否情報データの一例を示す図である。可否情報データは、受付番号、データ取得元、送信先および停止可否の情報を含む。受付番号は、ファクシミリ送信の指示を識別する番号である。データ取得元は、ファクシミリ送信の指示のために操作がされた装置、すなわち画像データの送信元を表す。データ取得元が「外部装置」である場合は、端末装置２０からファクシミリ送信の指示がされたことを表す。「自装置」である場合は、画像形成装置１０が直接操作されファクシミリ送信の指示がされたことを表す。送信先は、送信先番号を表す。停止可否は、停止可否情報を表す。可否情報データは、画像データの取得またはファクシミリ送信が行われている間記憶される。
【００４２】
再び図７を参照する。ステップＳ２０５において、制御部１０１は、画像データの取得を開始する。ステップＳ２０６において、通信部１０２は、取得した転送要求に含まれる送信先番号に対して発呼を行い、画像形成装置３０と接続する。通信部１０２は、接続が確立された画像形成装置３０に対しファクシミリ送信を行う。ステップＳ２０７において、制御部１０１は、外部装置フラグの値が「１」か否かを判断する。外部装置フラグの値が「１」でないと判断された場合（ステップＳ２０７：ＮＯ）、制御部１０１は、図５のフローにおける２以降の処理を行う。外部装置フラグの値が「１」であると判断された場合（ステップＳ２０７：ＹＥＳ）、制御部１０１は、処理をステップＳ２０８に移行する。
【００４３】
ステップＳ２０８において、制御部１０１は、停止可否情報が「不可」であるか否かを判断する。制御部１０１は、ＲＡＭに記憶された可否情報データから、ファクシミリ送信先の番号に対応する停止可否情報を読み出す。制御部１０１は、読み出した停止可否情報が「不可」であるか否かを判断する。停止可否情報が「不可」であると判断された場合（ステップＳ２０８：ＹＥＳ）、制御部１０１は、図５のフローにおける１以降の処理を行う。停止可否情報が「不可」でないと判断された場合（ステップＳ２０８：ＮＯ）、制御部１０１は、図５のフローにおける２以降の処理を行う。
【００４４】
（実施形態３）
図９は、画像形成装置１０において実行される、本発明の第３実施形態に係る処理を示すフローチャートである。第３実施形態では、停止ボタンが押下されると画像形成装置１０が停止確認要求を端末装置２０に送信し、端末装置２０から停止可否情報を取得する点が第１実施形態と異なる。                                                        
【００４５】
ステップＳ３０１からステップＳ３０５において、制御部１０１は、実施形態１におけるステップＳ１０１からステップＳ１０５と同様の処理を行い、ファクシミリ送信を行う。ステップＳ３０６において、制御部１０１は、外部装置フラグの値が「１」か否かを判断する。外部装置フラグの値が「１」でないと判断された場合（ステップＳ３０６：ＮＯ）、制御部１０１は、図５のフローにおける２以降の処理を行う。外部装置フラグの値が「１」であると判断された場合（ステップＳ３０６：ＹＥＳ）、制御部１０１は、処理をステップＳ３０７に移行する。
【００４６】
ステップＳ３０７において、表示部１０４は、ＦＡＸ送信中画面（図６（ａ））を表示する。ステップＳ３０８において、制御部１０１は、停止ボタンが押下されたか否かを判断する。停止ボタンが押下された場合（ステップＳ３０８：ＹＥＳ）、制御部１０１は、処理をステップＳ３０９へ移行する。停止ボタンが押下されなかった場合（ステップＳ３０８：ＮＯ）、制御部１０１は、処理をステップＳ３１２へ移行する。
ステップＳ３０９において、通信部１０２は、ファクシミリ送信の停止処理の可否を確認するための停止確認要求を端末装置２０へ送信する。
【００４７】
図１０は、端末装置２０の表示部２０４に表示される停止確認画面の例を示す図である。停止確認要求を受信すると、端末装置２０の制御部２０１は、表示部２０４に図１０の画面を表示させる。端末装置２０のユーザが、停止確認画面の「ＹＥＳ」または「ＮＯ」をクリックすることにより、停止可否情報が画像形成装置１０に対して送信される。停止確認画面の「ＮＯ」がクリックされると、ファクシミリ送信の停止が不可であることを示す停止可否情報が送信される。停止確認画面の「ＹＥＳ」がクリックされると、ファクシミリ送信の停止が可であることを示す停止可否情報が送信される。
【００４８】
再び図９を参照する。ステップＳ３１０において、通信部１０２は、端末装置２０から停止可否情報を受信する。ステップＳ３１１において、制御部１０１は、停止可否情報が「不可」であるか否かを判断する。停止可否情報が「不可」であると判断された場合（ステップＳ３１１：ＹＥＳ）、制御部１０１は、図５のフローにおける１以降の処理を行う。停止可否情報が「可」であると判断された場合（ステップＳ３１１：ＮＯ）、ステップＳ１０９において、制御部１０１はファクシミリ送信の停止処理を行う。停止可否情報が端末装置２０から送信されなかった場合には、あらかじめ設定された動作が行われる。例えば、停止確認要求を送信した後、あらかじめ設定された時間内に画像形成装置１０が停止可否情報を受信しなかった場合には、制御部１０１は、停止可否情報が「可」であると判断し、ファクシミリ送信の停止処理を行う。
【００４９】
ステップＳ３１２において、制御部１０１はファクシミリ送信を続行する。ステップＳ３１３およびステップＳ３１４において、制御部１０１は、第１実施形態におけるステップＳ１１５およびステップＳ１１６と同様の処理を行い、ファクシミリ送信を終了する。
【００５０】
（実施形態４）
図１１は、画像形成装置１０において実行される、本発明の第４実施形態に係る処理を示すフローチャートである。第４実施形態では、端末装置２０のユーザの認証情報と停止ボタンを押下するユーザの認証情報とに基づいて停止防止処理の制御を行う点が第１実施形態と異なる。画像送信システム１における複数の端末装置２０のユーザの認証情報は、画像形成装置１０の記憶部１０３に予め記憶されている。
【００５１】
ステップＳ４０１からステップＳ４０３において、制御部１０１は、第３実施形態におけるステップＳ３０１からステップＳ３０３と同様の処理を行う。ステップＳ４０４において、制御部１０１は、ステップＳ４０１において取得した転送要求に含まれる送信先番号を、画像データの送信元である端末装置２０のユーザの認証情報と対応させてＲＡＭに記憶する。この例で、端末装置２０は、ユーザの識別情報を含んだ転送要求を画像形成装置１０に送信する。制御部１０１は、送信された転送要求に含まれる識別情報に基づいて、複数の認証情報の中から、画像データの送信元である端末装置２０のユーザの認証情報を特定する。送信先番号は、画像データの取得またはファクシミリ送信が行われている間記憶される。画像形成装置１０は、ユーザの認証情報を予め記憶していなくてもよい。この場合、端末装置２０は、ユーザの認証情報を含んだ転送要求を画像形成装置に送信する。制御部１０１は、端末装置２０から取得した転送要求に含まれる送信先番号および認証情報の組を、記憶部１０３に記憶する。
【００５２】
図１２は、送信先番号および端末装置２０のユーザの認証情報を示すデータの一例を示す図である。この例では、送信先番号「ＸＸＸ−ＸＸＸＸ」へのファクシミリ送信を指示した端末装置２０のユーザの認証情報が「ＯＯＯ」であることを示している。送信先番号「ＹＹＹ−ＹＹＹＹ」へのファクシミリ送信は、画像形成装置１０を直接操作して指示されているので、認証情報は記憶されていない。
【００５３】
再び図１１を参照する。ステップＳ４０５からステップＳ４０８において、制御部１０１は、第３実施形態におけるステップＳ３０４からステップＳ３０７と同様の処理を行う。ステップＳ４０９において、制御部１０１は、停止ボタンが押下されたか否かを判断する。停止ボタンが押下された場合（ステップＳ４０９：ＹＥＳ）、制御部１０１は、処理をステップＳ４１０へ移行する。停止ボタンが押下されなかった場合（ステップＳ４０９：ＮＯ）、制御部１０１は、処理をステップＳ４１２へ移行する。
【００５４】
ステップＳ４１０において、制御部１０１は、停止ボタンを押下したユーザの認証情報を取得する。認証情報の取得は、例えば、ＩＣ（Integrated Circuit）カードを用いる方法または入力部１０５の操作をする方法により行われる。ＩＣカードが用いられる場合、画像形成装置１０は、ＩＣカードリーダを有する。ユーザは、自身の認証情報が記録されたＩＣカードを携帯している。画像形成装置１０を操作しようとするユーザは、ＩＣカードに記録されている認証情報をＩＣカードリーダで読み取らせる。入力部１０５が用いられる場合、ユーザは、入力部１０５を操作して、自身の認証情報（ＩＤまたはパスワード）を入力する。認証情報の取得は、ステップＳ４０９において停止ボタンが押下される前に行われてもよい。ステップＳ４１１において、制御部１０１は、停止ボタンを押下したユーザの認証情報と、ＲＡＭに記憶されている端末装置２０のユーザの認証情報とが一致するか否かを判断する。ここでいう「認証情報が一致する」とは、認証情報が完全に一致する場合に限らず、認証情報の一部が一致する場合であってもよい。また、画像形成装置１０が停止ボタンを押下したユーザの認証情報と、ＲＡＭに記憶された端末装置２０のユーザの認証情報とを用いた演算を行い、両者の演算結果の差がある条件を満たす場合に「認証情報が一致する」と判断されてもよい。制御部１０１は、ファクシミリ送信が行われている送信先番号に基づいて、端末装置２０のユーザの認証情報を取得する。認証情報が一致すると判断された場合（ステップＳ４１１：ＹＥＳ）、ステップＳ１０９において、制御部１０１はファクシミリ送信の停止処理を行う。認証情報が一致しないと判断された場合（ステップＳ４１１：ＮＯ）、制御部１０１は、図５のフローにおける１以降の処理を行う。
【００５５】
ステップＳ４１２において、制御部１０１は、ファクシミリ送信を続行する。ステップＳ４１３およびステップＳ４１４において、制御部１０１は、第１実施形態におけるステップＳ１１５およびステップＳ１１６と同様の処理を行い、ファクシミリ送信を終了する。
【００５６】
本発明は、上述の実施形態に限定されるものではなく、種々の変形実施が可能である。以下、変形例をいくつか説明する。以下で説明する変形例のうち、２つ以上のものが組み合わされて用いられても良い。
【００５７】
（１）変形例１
停止防止処理は、実施形態で説明した図６（ｂ）の態様に限定されない。例えば、実施形態１および２では、停止ボタンを含まないＦＡＸ送信中画面を表示する処理（図６（ｃ））、またはＦＡＸ送信中画面自体を表示しない処理（図６（ｄ））により停止防止処理を行ってもよい。別の例で、入力部１０５がハードウェアとして停止ボタンを有し、停止ボタンがユーザにより押下されると制御部１０１が停止処理を行う場合、制御部１０１は、停止防止処理として、停止ボタンが押下されてもファクシミリ送信が停止されない処理を行ってもよい。
【００５８】
（２）変形例２
画像送信装置（実施形態における画像形成装置１０）および画像受信装置（実施形態における画像形成装置３０）は、画像形成装置に限定されない。画像送信装置および画像受信装置は、画像を形成する機能（画像形成部１０７）を有していなくてもよい。この場合、画像受信装置は、受信した画像データに従って、表示部に画像を表示する。別の例で、外部通信回線５０は電話回線に限定されない。外部通信回線は、例えばインターネットであってもよい。この場合、画像送信装置は、画像データをパケットとして送信する。
【００５９】
（３）変形例３
実施形態１から４に係る画像形成装置１０の処理においては、画像データの取得が継続している状態で発呼をして、ファクシミリ送信を行う場合（以下「リアルタイム通信」という。）を例に説明した。本発明は、このようなリアルタイム通信の場合に限定されるものではなく、画像データの取得が終了し、内部通信回線を切断した後に発呼して、ファクシミリ送信を行う場合（以下「非リアルタイム通信」という。）に適用されてもよい。また、画像形成装置１０がリアルタイム通信と非リアルタイム通信との双方を行うことができる場合、画像形成装置１０は、リアルタイム通信の場合に限り停止防止処理を行うなど、リアルタイム通信か非リアルタイム通信かに応じて停止防止処理を制御してもよい。
【００６０】
（４）変形例４
図１３は、変形例３に係る停止防止処理の設定情報の例を示す図である。変形例３において、画像形成装置１０は、ファクシミリ送信の指示をした端末装置２０の属性に応じて、停止防止処理を行うか否かを判断する。この場合、端末装置２０は、ファクシミリの送信指示とともに、自身の属性情報を画像形成装置１０に送信する。この例では、端末装置２０の属性として、その端末装置２０のユーザの所属部門が用いられる。図１３の例では、属性が「総務」および「経理」である端末装置２０は、停止防止設定が「可」に設定されている。また、属性が「法務」である端末装置２０は、停止防止設定が「不可」に設定されている。属性「総務」または「経理」に対応する端末装置２０から画像データが送信された場合、画像形成装置１０は、停止防止処理を行う。一方、属性「法務」に対応する端末装置２０から画像データが送信された場合、画像形成装置１０は停止防止処理を行わない。属性としては、例えば、ユーザ名または職制など、所属部門以外の情報が用いられてもよい。別の例で、画像形成装置１０は、停止防止処理を一括して行うか否かを制御するための設定情報を有していてもよい。この場合、一括して行われる停止防止処理の制御が例外的に適用されない属性が定められていてもよい。
【００６１】
（５）変形例５
実施形態１から４において、図６（ｂ）の態様で停止防止処理が行われる場合、表示部１０４は、ファクシミリ送信の停止処理ができない旨を、停止ボタンを押下したユーザに通知してもよい。この通知は、例えば、その旨を示すメッセージを表示すること、または、音を発生させることにより行われる。
【００６２】
（６）変形例６
実施形態１から４において、転送要求が含む情報は、ファクシミリ送信の指示であることを示す情報、送信先番号およびユーザの識別情報に限定されない。例えば、端末装置２０から取得される転送要求は、画像データを含んでいてもよい。この場合、画像形成装置１０は、転送要求を取得したタイミングで画像データの取得を開始する。別の例で、転送要求には、送信先番号が含まれていなくてもよい。この場合、画像形成装置１０は、転送要求とは別に送信先番号を取得する。
【００６３】
（７）変形例７
外部装置フラグおよび停止可否情報の双方が用いられる場合において、停止防止処理を行うか否かの判断の際にどちらの情報が優先されるかは、実施形態で説明した例に限定されない。例えば、実施形態２（図７）においては、外部装置フラグよりも停止可否情報が優先される例を説明した。画像形成装置１０は、外部装置フラグを優先する第１動作モードと、停止可否情報を優先する第２動作モードとのいずれかで動作してもよい。第１動作モードと第２動作モードとの切り替えは、例えば、ユーザの指示により行われる。別の例で、第１動作モードと第２動作モードとの切り替えは、端末装置２０の属性に基づいて行われてもよい。
【００６４】
（８）変形例８
実施形態において画像形成装置１０、端末装置２０または画像形成装置３０によって実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータが読み取り可能な記録媒体に記憶した状態で提供されてもよい。また、このプログラムは、インターネットなどのネットワーク経由でダウンロードされてもよい。
【符号の説明】
【００６５】
１…画像送信システム、１０，３０…画像形成装置、２０…端末装置、４０…内部通信回線、５０…外部通信回線、１１…取得部、１２…記憶部、１３…送信部、１４…受付部、１５…処理部、１６…画像データ生成部、２１…送信部、３１…受信部、１０１…制御部、１０２…通信部、１０３…記憶部、１０４…表示部、１０５…入力部、１０６…読み取り部、１０７…画像形成部、２０１…制御部、２０２…通信部、２０３…記憶部、２０４…表示部、２０５…入力部
【図１】
0005712793.tif 000002
【図２】
0005712793.tif 000003
【図３】
0005712793.tif 000004
【図４】
0005712793.tif 000005
【図５】
0005712793.tif 000006
【図６】
0005712793.tif 000007
【図７】
0005712793.tif 000008
【図８】
0005712793.tif 000009
【図９】
0005712793.tif 000010
【図１０】
0005712793.tif 000011
【図１１】
0005712793.tif 000012
【図１２】
0005712793.tif 000013
【図１３】
0005712793.tif 000014